(57)【特許請求の範囲】
【請求項１】
ユーザの所望の画面を表示装置に表示するときに、前記表示装置にこの所望の画面が表示されたか否かを判断する判断手段と、
前記表示装置に連続して表示される複数の表示データの差分を算出し、差分が所定値以下の表示領域を抽出する抽出手段と、
前記判断手段により所望の画面が表示されていないと判断された場合、前記所望の画面が表示されるまでの間の少なくとも一部の時間、前記表示装置の画面の輝度を低下させるとともに、前記表示装置に前記抽出手段により抽出された表示領域が表示されている間、この表示領域のうちの少なくとも一部の領域の輝度を低下させる制御手段と、
を備えたことを特徴とする情報端末。
【請求項２】
前記判断手段は、情報端末が起動されたとき、前記表示装置に起動画面が表示された場合、所望の画面が表示されたと判断することを特徴とする請求項１記載の情報端末。
【請求項３】
前記判断手段は、データを受信して前記表示装置に表示するとき、データの受信が完了してこのデータが前記表示装置に表示された場合、所望の画面が表示されたと判断することを特徴とする請求項１記載の情報端末。
【請求項４】
前記判断手段は、アプリケーションプログラムを起動するとき、この起動が完了して前記表示装置にこのアプリケーションプログラムの画面が表示された場合、所望の画面が表示されたと判断することを特徴とする請求項１記載の情報端末。
【請求項５】
各々のアプリケーションプログラムと、表示画面の輝度とが対応付けられた記憶手段を備え、
前記制御手段は、アプリケーションプログラムの画面が表示されている間、前記表示装置の画面の輝度を、前記記憶手段によりこのアプリケーションプログラムに対応付けられた輝度に変更させることを特徴とする請求項４記載の情報端末。
【請求項６】
前記制御手段は、前記表示装置の画面の輝度を低下させている間、前記表示装置の表示データの減色処理を行ない、かつ、前記表示装置に接続されたバスの転送データ量を、輝度を低下させる前より下げるように制御することを特徴とする請求項１記載の情報端末。
【請求項７】
ユーザの所望の画面を表示装置に表示するときに、前記表示装置にこの所望の画面が表示されたか否かを判断する判断手段と、
前記表示装置に連続して表示される複数の表示データの差分を算出し、差分が所定値以下の表示領域を抽出する抽出手段と、
前記判断手段により所望の画面が表示されていないと判断された場合、前記所望の画面が表示されるまでの間、前記表示装置のガンマ値を低下させるとともに、前記表示装置に前記抽出手段により抽出された表示領域が表示されている間、この表示領域のうちの少なくとも一部の領域のガンマ値を低下させる制御手段と、
を備えたことを特徴とする情報端末。
【発明の詳細な説明】
【技術分野】
【０００１】
本発明は、表示装置に重要度の低い（ユーザにとって非所望の）画面を表示している間、表示画面の輝度を低下させる情報端末に関する。
【背景技術】
【０００２】
近年、携帯電話機等の情報端末の表示装置として、有機ＥＬパネルを用いた表示装置の開発が進められている。この有機ＥＬ表示装置は、薄い、軽量、応答速度が速い、視野角が広い、低コストといった優れた特徴を持っており、次世代の携帯電話機の表示装置と期待されている。しかし一方で、この有機ＥＬ表示装置を用いた携帯電話機では、消費電力を十分に低減できないという問題があった。
【０００３】
そこで、画面の見易さの低下及び表示品位の低下を伴うことなく、消費電力を低減し電池の使用時間を延長することが可能な携帯電子機器が提案されている（特許文献１参照）。この携帯電子機器は、少なくても文字及び文字の背景を含む表示情報を処理する処理手段と、処理手段により提供される表示情報を有機ＥＬを用いた自発光型の表示装置に表示する表示制御手段とを具備し、処理手段は、背景の平均輝度が文字の平均輝度より小さくなるように、表示情報における文字及び文字の背景の輝度を補正する補正手段を有するものである。
【特許文献１】特開２００２−１９９０７８号公報
【発明の開示】
【発明が解決しようとする課題】
【０００４】
有機ＥＬ表示装置を備えた携帯電話機等の情報端末は、消費電流が表示内容に依存する為、表示輝度が少ない場合には消費電流を低減できるが、そうでない場合には消費電流が増加してしまうという問題があった。また携帯電話機等の情報端末では、例えば起動時に起動画面を表示するのに時間がかかってしまったり、通信時に通信環境が悪く十分な通信速度が得られずインターネット画面の完全表示までに時間がかかってしまったりする場合があり、この間にも有機ＥＬ表示装置にユーザにとって重要でない画面が表示されていて、消費電流が増加してしまうという問題があった。
【０００５】
本発明は、上記課題を鑑みなされてものであり、表示装置に重要度の低い画面を表示している間、輝度を低下させることで、消費電流を軽減することができる情報端末を提供することを目的とする。
【課題を解決するための手段】
【０００６】
上記課題を解決するために、本発明に係る情報端末は、ユーザの所望の画面を表示装置に表示するときに、前記表示装置にこの所望の画面が表示されたか否かを判断する判断手段と、前記表示装置に連続して表示される複数の表示データの差分を算出し、差分が所定値以下の表示領域を抽出する抽出手段と、前記判断手段により所望の画面が表示されていないと判断された場合、前記所望の画面が表示されるまでの間の少なくとも一部の時間、前記表示装置の画面の輝度を低下させるとともに、前記表示装置に前記抽出手段により抽出された表示領域が表示されている間、この表示領域のうちの少なくとも一部の領域の輝度を低下させる制御手段と、を備えたことを特徴とする。
【発明の効果】
【０００７】
本発明に係る情報端末によると、表示装置に重要度の低い画面を表示している間、輝度を低下させることで、消費電流を軽減することが可能となる。
【発明を実施するための最良の形態】
【０００８】
〔第１実施形態〕
本発明に係る情報端末の第１実施形態について、図１乃至図５を参照しながら説明する。第１実施形態の情報端末として、複数の筐体が開閉自在に結合されてなるクラムシェル型の携帯電話機１を例に挙げて説明する。図１（Ａ）は、携帯電話機１の開いた状態を示す正面図、図１（Ｂ）は、本発明に係る携帯電話機１の開いた状態を示す側面図、図２（Ａ）は、携帯電話機１の閉じた状態を示す正面図、図２（Ｂ）は、携帯電話機１の閉じた状態を示す側面図である。
【０００９】
携帯電話機１は、図１及び図２に示すように、主に、矩形の板状の上筐体１０と、この上筐体１０とほぼ同形状をした下筐体１１とにより構成されていて、これらの上筐体１０及び下筐体１１は、閉じた状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図１のＸ方向に所定角度だけ回転自在なように形成されている。携帯電話機１は、上筐体１０を下筐体１１に対して回転させることにより、閉じた状態から開いた状態に変形させたり（オープン）、あるいは開いた状態から閉じた状態に変形させたり（クローズ）する。
【００１０】
上筐体１０の内面（下筐体１１に対面する側の面）には、文字や画像等を含んだ表示情報を表示するための表示装置１３が設けられている。表示装置１３は、例えば有機ＥＬ（Ｅｌｅｃｔｒｏ−Ｌｕｍｉｎｅｓｃｅｎｃｅ）パネルで形成されている。有機ＥＬパネルは、有機化合物中に注入された電子と正孔の再結合によって生じた励起子（エキシトン）によって発光する現象を利用した表示パネルである。また上筐体１０の内面には、音声を出力するスピーカ１４が設けられている。これらの表示装置１３及びスピーカ１４は、携帯電話機１が閉じた状態のときには、下筐体１１により覆われていて外部に露出していないが、上筐体１０を下筐体１１に対して回転させて開いた状態に変形させたときには外部に露出される。
【００１１】
下筐体１１の内面（上筐体１０に対面する側の面）には、例えば、電源のＯＮ／ＯＦＦを切り替えるための電源キーや発呼処理を行うための発呼キー、数字や文字を入力するためのテンキー等からなる操作キー１５が設けられている。また下筐体１１の内面には、音声を集音するためのマイクロフォン１６が設けられている。これらの操作キー１５及びマイクロフォン１６は、携帯電話機１が閉じた状態のときには、上筐体１０により覆われていて外部に露出していないが、上筐体１０を下筐体１１に対して回転させて開いた状態に変形させたときには外部に露出される。
【００１２】
次に、携帯電話機１の機能について、図３に示すブロック図を用いて説明する。携帯電話機１は、図３に示すように、制御装置２０、記憶装置２１、表示演算装置２２、無線装置２３、及び信号処理装置２４が、制御信号の経路となるバス２５、映像信号・音声信号の経路となるバス２６によって相互に通信可能に接続されて構成されている。
【００１３】
制御装置２０は、ＣＰＵ（Ｃｅｎｔｒａｌ  Ｐｒｏｃｅｓｓｉｎｇ  Ｕｎｉｔ）を具備していて、携帯電話機１の総括的な制御を行うとともに、後述する表示制御処理や、その他の様々な演算処理や制御処理等を行う。制御装置２０は、操作キー１５に対する入力インタフェースを備えていて、操作キー１５の押下を検出すると、押下された操作キー１５に基づいて所定の処理を行う。また制御装置２０は、表示装置１３に対する表示インタフェースを備え、文書や画像等を含んだ表示データを表示装置１３に表示する。
【００１４】
また制御装置２０は、マイクロフォン１６で集音された音声からアナログ音声信号を生成し、このアナログ音声信号をデジタル音声信号に変換する。また音声制御部２４は、デジタル音声信号を取得すると、このデジタル音声信号をアナログ音声信号に変換し、スピーカ１４から音声として出力する。
【００１５】
記憶装置２１は、制御装置２０や表示演算装置２２が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、処理に使用されるデータを一時的に記憶するＲＡＭ（Ｒａｎｄｏｍ  Ａｃｃｅｓｓ  Ｍｅｍｏｒｙ）等から構成される。また、制御装置２０が後述する表示制御処理を行う際の処理プログラムは、例えばＲＯＭに記憶されているものとする。
【００１６】
表示演算装置２２は、制御装置２０の一部をなしているものであって、表示データ２２ａに対してｂｉｔ演算を行うｂｉｔ演算装置２２ｂを具備している。このｂｉｔ演算装置２２ｂは、表示装置１３に表示するための表示データの輝度を変更する場合に、この表示データ２２ａを取得して、表示データ２２ａに対して増色処理または減色処理を施し、出力データ２２ｃとして出力する。そして表示装置１３は、表示演算装置２２により出力された出力データ２２ｃに基づいて画面を表示する。なお、表示装置１３は、ＣＰＵ（制御装置２０）―表示コントローラ（表示装置１３）間のバス（バス２６）の転送速度を変更する処理である増色処理を行うための増色装置１３ａを具備している。
【００１７】
無線装置２３はアンテナを備えていて、このアンテナを介して信号を受信する。無線装置２３により受信された受信信号は、信号処理装置２４にてスペクトラム逆拡散処理されてデータが復元される。この復元されたデータは、制御装置２０の指示により、スピーカ１４から出力されたり、表示装置１３に表示されたり、または記憶装置２１に記録されたりする。また信号処理装置２４は、制御装置２０の制御に基づいて、マイクロフォン１６で集音された音声データや操作キー１５を介して入力されたデータや記憶装置２１に記憶されたデータを取得すると、これらのデータに対してスペクトラム拡散処理を行う。そして無線装置２３は、これらのデータをアンテナ２５ａを介して送信する。
【００１８】
携帯電話機１は、表示装置１３として、画面を高輝度に表示することができる有機ＥＬディスプレイを用いている。しかしながら一方で、有機ＥＬ素子は電圧印加による発光により徐々に輝度の低下を起こすため、長時間使用された有機ＥＬディスプレイには、輝度が劣化した素子により「焼き付き」と呼ばれる現象が起こってしまうという欠点がある。これは、長時間発光した素子と、その周囲を構成する発光素子との輝度差が拡大した結果である。よって、表示装置１３において表示処理を行う際、表示処理の際の省電力化を図ることにより表示装置１３の劣化を防止することが望まれている。
【００１９】
携帯電話機１において例えばＷｅｂサイトを表示する際、Ｗｅｂサイトの表示内容の受信を開始してから受信が完了するまでの間、受信中である旨を示す画面が表示されるか、あるいは画面が更新されない状態が継続する。ユーザにとって、この状態の表示画面は所望の画面ではなく重要度が低いので、この受信完了までの間の表示画面の表示輝度を低下させ、受信完了時に通常の輝度に復帰させることで、表示処理の消費電流を低減する。
【００２０】
また、携帯電話機１においてアプリケーションプログラムを起動する際にも、アプリケーションプログラムの起動が開始されてから、この起動が完了するまでの間、ユーザにとって非所望の画面が表示されるので、表示装置１３の表示画面の輝度を低下させる。携帯電話機１においてファイル（データ）をダウンロードする際も同様に、ファイルのダウンロードを開始してからダウンロードが終了するまでの間、ユーザにとって非所望の画面が表示されるので、表示装置１３の輝度を低下させる。
【００２１】
さらに、携帯電話機１のクローズ時やオープン時においても、待機画面の表示を開始してから表示が完了されるまでの間、表示装置１３の表示画面の輝度を低下させる。携帯電話機１において地上波デジタルワンセグ放送を視聴する場合も同様に、地上波デジタルワンセグ放送の機能の起動を開始してから起動が完了するまでの間、表示装置１３の表示画面の輝度を低下させる。表示装置１３における表示を縦表示・横表示に切り替える場合も同様に、重要度が低い画面を表示している間、表示装置１３の表示画面の輝度を低下させる。
【００２２】
第１実施形態の携帯電話機１が、この表示制御処理を行う手順について、図４に示すフローチャート、図５に示すアローチャートに基づいて説明する。ここでは携帯電話機１が起動された場合を一例として説明する。なお、図４に示すフローチャートにおける各ステップと図５に示すアローチャートにおける各ステップとは対応しているものとする。以下、例えば「ステップＳ１０１」を「Ｓ１０１」のように、「ステップ」の語句を省略して説明する。
【００２３】
制御装置２０は、携帯電話機１が起動されたか否かを判断する（Ｓ１０１）。携帯電話機１が起動されていない場合（Ｓ１０１のＮｏ）は、制御装置２０は携帯電話機１が起動されるまで待機する。携帯電話機１が起動された場合（Ｓ１０１のＹｅｓ）は、制御装置２０は、起動が完了するまでの間、表示装置１３にユーザにとって非所望の画面が表示されるため、表示装置１３の表示画面の輝度を低下させる（Ｓ１０３）。この際、図５のアローチャートに示すように、ｂｉｔ演算装置２２ｂが表示データ２２ａを取得して、この表示データ２２ａに対して、例えば通常の状態の５０％の輝度になるように減色処理を施し、出力データ２２ｃとして出力する。表示装置１３は、表示演算装置２２により出力された出力データ２２ｃに基づいて画面を表示する。
【００２４】
制御装置２０は、ステップＳ１０１にて開始された携帯電話機１の起動が完了したか否かを判断する（Ｓ１０５）。携帯電話機１の起動が完了していない場合（Ｓ１０５のＮｏ）は、制御装置２０は携帯電話機１の起動が完了するまで、表示装置１３の輝度を下げた状態を継続する。携帯電話機１の起動が完了した場合（Ｓ１０５のＹｅｓ）は、制御装置２０は、表示装置１３の表示画面の輝度を通常の状態に戻す（Ｓ１０７）。
【００２５】
このようにして携帯電話機１は、起動や通信等の処理に時間がかかっていて、表示装置１３にユーザにとって非所望の画面を表示している間、アプリケーション側で表示装置１３の表示画面の輝度を低下させることで、省電力化を実現している。
【００２６】
なお、第１実施形態として、携帯電話機１の起動を開始してから起動が完了するまでの間、表示装置１３の表示画面の輝度を低下させる例について説明したが、携帯電話機１の起動を開始してから起動が完了するまでの間の一部の時間だけ輝度を低下させるようにしても良い。例えば、携帯電話機１においてＷｅｂサイトを表示する場合に、Ｗｅｂサイトの表示内容の受信を開始してから受信が完了するまでの間において、受信が完了するまで表示画面の輝度を低下させる旨を表示してから、輝度を低下させるようにしても良い。
【００２７】
第１実施形態によると、表示装置１３に重要度の低い画面を表示している間、輝度を低下させることで、消費電流を軽減することが可能となる。
【００２８】
〔第２実施形態〕
本発明に係る情報端末の第２実施形態について、図６及び図７を参照しながら説明する。なお、第１実施形態と同一の構成には同一の符号を付し、重複する説明を省略する。第２実施形態の携帯電話機１は、図１及び図２に示すように、第１実施形態の携帯電話機１と同一の構成を備えている。また第２実施形態の携帯電話機１は、図３に示すように、第１実施形態の携帯電話機１と同様に、制御装置２０、記憶装置２１、表示演算装置２２、無線装置２３、及び信号処理装置２４が、制御信号の経路となるバス２５、映像信号・音声信号の経路となるバス２６によって相互に通信可能に接続されて構成されている。
【００２９】
第１実施形態と同様に、携帯電話機１において例えばＷｅｂサイトを表示する際、Ｗｅｂサイトの画面内容の受信を開始してから受信完了までの間、受信中である旨を示す画面が表示されるか、あるいは何も表示されない状態が継続する。ユーザにとって、この状態の表示画面は非所望の画面であり重要度が低いので、この受信が完了するまでの間の表示装置１３に対して通常より低いガンマ値（出入力電圧の比）を設定し、受信完了時に表示装置１３に対して通常のガンマ値を設定することで、表示処理の際の消費電流を低減する。
【００３０】
第２実施形態の携帯電話機１が、この表示制御処理を行う手順について、図６に示すフローチャート、図７に示すアローチャートに基づいて説明する。ここでは第１実施形態と同様に、携帯電話機１が起動された場合を一例として説明する。なお、図６に示すフローチャートにおける各ステップと図７に示すアローチャートにおける各ステップとは対応しているものとする。
【００３１】
制御装置２０は、携帯電話機１が起動されたか否かを判断する（Ｓ２０１）。携帯電話機１が起動されていない場合（Ｓ２０１のＮｏ）は、制御装置２０は携帯電話機１が起動されるまで待機する。携帯電話機１が起動された場合（Ｓ２０１のＹｅｓ）は、この起動が完了するまでユーザにとって非所望の画面が表示されるため、制御装置２０は、携帯電話機１の表示装置１３に通常よりも低いガンマ値を設定する（Ｓ２０３）。この際、図７のアローチャートに示すように、制御装置２０は、表示装置１３に対して、ガンマ値を通常よりも低い値（例えば通常のガンマ値を１００％とした場合に、５０％の値）に設定するように信号を送信する。表示装置１３は、この信号を受けて、ガンマ値を通常の５０％の値に設定する。
【００３２】
制御装置２０は、ステップＳ２０１にて開始された携帯電話機１の起動が完了したか否かを判断する（Ｓ２０５）。携帯電話機１の起動が完了していない場合（Ｓ２０５のＮｏ）は、制御装置２０は携帯電話機１の起動が完了するまで、表示装置１３に通常より低いガンマ値を設定した状態を継続する。携帯電話機１の起動が完了した場合（Ｓ２０５のＹｅｓ）は、制御装置２０は、携帯電話機１の表示装置１３のガンマ値を通常の値に設定する（Ｓ２０７）。
【００３３】
このようにして携帯電話機１は、起動や通信等の処理に時間がかかっていて、表示装置１３にユーザにとって非所望の画面を表示している間、表示装置１３のハードウェア側でガンマ値を低下させることで、省電力化を実現している。
【００３４】
第２実施形態によると、表示装置１３に重要度の低い画面を表示している間、表示装置１３のガンマ値を低下させることで、消費電流を軽減することが可能となる。
【００３５】
〔第３実施形態〕
本発明に係る情報端末の第３実施形態について、図８及び図９を参照しながら説明する。なお、第１実施形態と同一の構成には同一の符号を付し、重複する説明を省略する。第３実施形態の携帯電話機１は、図１及び図２に示すように、第１実施形態の携帯電話機１と同一の構成を備えている。また第３実施形態の携帯電話機１は、図３に示すように、第１実施形態の携帯電話機１と同様に、制御装置２０、記憶装置２１、表示演算装置２２、無線装置２３、及び信号処理装置２４が、制御信号の経路となるバス２５、映像信号・音声信号の経路となるバス２６によって相互に通信可能に接続されて構成されている。
【００３６】
携帯電話機１においてアプリケーションプログラムを起動する際、例えばテレビ視聴やメール閲覧のアプリケーションプログラムを起動するときのように、表示装置１３の画面を明るく表示することが望ましい場面と、オーディオプレイヤーやラジオ視聴を起動するときのように表示装置１３の画面を明るくする必要のない場面とがある。
【００３７】
よって携帯電話機１では、起動されるアプリケーションプログラムに応じて表示装置１３の輝度を変更させる。記憶装置２１は、アプリケーションプログラムに対して明るさが設定された設定情報３０を記憶している。設定情報３０は、図８に示すように、アプリケーションプログラムを示すアプリケーション情報３１と、表示装置１３の輝度を示す輝度情報３２とがそれぞれ対応付けられた情報である。例えば図８によると、「アプリＡ」のアプリケーションプログラムに対して５０％の輝度が対応付けられているとともに、「アプリＢ」のアプリケーションプログラムに対して１００％の輝度が対応付けられている。
【００３８】
第３実施形態の携帯電話機１が、この設定情報３０に基づいて表示制御処理を行う手順について、図９に示すフローチャート、図５に示すアローチャートに基づいて説明する。ここでは、携帯電話機１においてアプリケーションプログラムが起動された場合を一例として説明する。
【００３９】
制御装置２０は、携帯電話機１においてアプリケーションプログラムが起動されたか否かを判断する（Ｓ３０１）。アプリケーションプログラムが起動されていない場合（Ｓ３０１のＮｏ）は、制御装置２０はアプリケーションプログラムが起動されるまで待機する。アプリケーションプログラムが起動された場合（Ｓ３０１のＹｅｓ）は、制御装置２０は記憶装置２１に記憶された設定情報３０に基づいて、ステップＳ３０１にて起動されたアプリケーションプログラムに対応付けられた表示装置１３の輝度を取得する。
【００４０】
例えば図８に示す設定情報３０によると、ステップＳ３０１にてアプリＡのアプリケーションプログラムが起動された場合は、ステップＳ３０３にて５０％の輝度が取得され、ステップＳ３０１にてアプリＢのアプリケーションプログラムが起動された場合は、ステップＳ３０３にて１００％の起動が取得される。
【００４１】
制御装置２０は、表示装置１３の輝度をステップＳ３０３にて取得した輝度に変更する（Ｓ３０５）。この際、図５のアローチャートに示すように、ｂｉｔ演算装置２２ｂが表示データ２２ａを取得して、この表示データ２２ａに対して、例えばステップＳ３０１にてアプリＡが起動された場合には通常の状態の５０％の輝度になるように減色処理を施し、出力データ２２ｃとして出力する。表示装置１３は、表示演算装置２２により出力された出力データ２２ｃに基づいて画面を表示する。
【００４２】
制御装置２０は、ステップＳ３０１にて開始されたアプリケーションプログラムが終了されたか否かを判断する（Ｓ３０７）。アプリケーションプログラムが終了されていない場合（Ｓ３０７のＮｏ）は、制御装置２０はアプリケーションプログラムが終了されるまで、表示装置１３の輝度を変更した状態を継続する。アプリケーションプログラムが終了された場合（Ｓ３０７のＹｅｓ）は、制御装置２０は、携帯電話機１の表示装置１３の輝度を元に戻す（Ｓ３０９）。
【００４３】
このようにして携帯電話機１は、予めアプリケーションプログラムごとに表示装置１３の輝度を設定しておくことで、このアプリケーションプログラムが実行されている間、表示装置１３に表示させる画面を、各々のアプリケーションプログラムに必要な最低限の輝度に低下させて表示させることで、省電力化を実現している。
【００４４】
第３実施形態によると、アプリケーションプログラムを実行している間、表示装置１３の輝度を、各々のアプリケーションプログラムに応じた必要最低限の輝度に低下させることで、消費電流を軽減することが可能となる。
【００４５】
〔第４実施形態〕
本発明に係る情報端末の第４実施形態について、図１０乃至図１２を参照しながら説明する。なお、第１実施形態と同一の構成には同一の符号を付し、重複する説明を省略する。第４実施形態の携帯電話機１は、図１及び図２に示すように、第１実施形態の携帯電話機１と同一の構成を備えている。また第４実施形態の携帯電話機１は、図３に示すように、第１実施形態の携帯電話機１と同様に、制御装置２０、記憶装置２１、表示演算装置２２、無線装置２３、及び信号処理装置２４が、制御信号の経路となるバス２５、映像信号・音声信号の経路となるバス２６によって相互に通信可能に接続されて構成されている。
【００４６】
表示装置１３の表示画面において、時間経過に伴う変更が大きく明るく表示されることが望ましい領域と、時間経過に伴う変更が少なく明るく表示される必要のない領域とがある。例えば図１０に示すオーディオプレイヤーの表示画面４０では、映像が表示される領域４１、再生ボタンが表示される領域４２、停止ボタンが表示される領域４３、進むボタンが表示される領域４４、戻るボタンが表示される領域４５、及び、再生中の曲に関する情報が表示される領域４６が表示されている。このうち、映像が表示される領域４１は変更が大きい領域であり、その他の領域は変更が小さい領域である。よって表示装置１３において、映像が表示される領域４１については輝度を上げることが望ましい。
【００４７】
また、表示画面４０にはカーソル４７が表示されている。カーソル４７はユーザが操作キー１５を介して表示画面４０上を移動させることができるため、このカーソル４７が位置している領域は明るく表示されることが望ましい。例えば図１０に示す表示画面４０では、カーソル４７が再生ボタンが表示される領域４２に位置している。よって表示装置１３において、再生ボタンが表示される領域４２については輝度を上げることが望ましい。
【００４８】
第４実施形態の携帯電話機１が、この表示装置１３の表示画面における変更状況に基づいて表示制御処理を行う手順について、図１１に示すフローチャート、図１２に示すアローチャートに基づいて説明する。ここでは、携帯電話機１においてオーディオプレイヤー等のアプリケーションプログラムが起動された場合を一例として説明する。
【００４９】
制御装置２０は、携帯電話機１においてアプリケーションプログラムが起動されたか否かを判断する（Ｓ４０１）。アプリケーションプログラムが起動されていない場合（Ｓ４０１のＮｏ）は、制御装置２０はアプリケーションプログラムが起動されるまで待機する。アプリケーションプログラムが起動された場合（Ｓ４０１のＹｅｓ）は、制御装置２０は、表示装置１３に表示される表示データから、変更の小さい表示領域を抽出する（Ｓ４０３）。この際、制御装置２０は、例えば、連続して表示される複数枚の表示データについて、表示領域ごとにそれぞれの差分を算出して、差分の小さい表示領域（例えば差分が所定値以下の表示領域）を抽出する。
【００５０】
例えば図１０に示す表示画面４０によると、映像が表示される領域４１の変更が大きいので、この領域４１が抽出される。この際、カーソル４７が位置している領域である再生ボタンが表示される領域４２も同時に抽出されるようにしても良い。
【００５１】
制御装置２０は、ステップＳ４０３にて抽出された表示領域に対して、表示装置１３の輝度を低下させる（Ｓ４０５）。この際、図１２のアローチャートに示すように、ｂｉｔ演算装置２２ｂが表示データ２２ａを取得して、このステップＳ４０３にて抽出した表示領域の表示データ２２ａに対して、例えば通常の状態の５０％の輝度になるように減色処理を施し、出力データ２２ｃとして出力する。表示装置１３は、表示演算装置２２により出力された出力データ２２ｃに基づいて画面を表示する。
【００５２】
制御装置２０は、ステップＳ４０１にて開始されたアプリケーションプログラムが終了されたか否かを判断する（Ｓ４０７）。アプリケーションプログラムが終了されていない場合（Ｓ４０７のＮｏ）は、ステップＳ４０３に戻って、制御装置２０はアプリケーションプログラムが終了されるまで、ステップＳ４０３乃至Ｓ４０７の処理を継続する。アプリケーションプログラムが終了された場合（Ｓ４０７のＹｅｓ）は、制御装置２０は、携帯電話機１の表示装置１３の輝度を元に戻す（Ｓ４０９）。
【００５３】
このようにして携帯電話機１は、表示装置１３に画面を表示している間、表示画面のうちの変更の小さい表示領域の輝度を低下させることで、省電力化を実現している。表示画面において、ユーザにとって重要な表示領域のみが明るく表示されるため、ユーザの利便性が向上する。また、表示画面においてカーソルの位置している領域の輝度を低下させないことで、表示装置１３の輝度を低下させたことによりユーザの利便性を損なうことが防止される。
【００５４】
第４実施形態によると、表示装置に画面を表示している間、重要度の低い表示領域の輝度を低下させることで、消費電流を軽減することが可能となる。
【００５５】
〔第５実施形態〕
本発明に係る情報端末の第５実施形態について、図１３乃至図１５を参照しながら説明する。なお、第１実施形態と同一の構成には同一の符号を付し、重複する説明を省略する。第５実施形態の携帯電話機１は、図１及び図２に示すように、第１実施形態の携帯電話機１と同一の構成を備えている。また第５実施形態の携帯電話機１は、図３に示すように、第１実施形態の携帯電話機１と同様に、制御装置２０、記憶装置２１、表示演算装置２２、無線装置２３、及び信号処理装置２４が、制御信号の経路となるバス２５、映像信号・音声信号の経路となるバス２６によって相互に通信可能に接続されて構成されている。
【００５６】
携帯電話機１の表示装置１３において表示画面の輝度を低下させると、表示データが小さくなるので、ＣＰＵ（制御装置２０）―表示コントローラ（表示装置１３）間のバス（バス２６）の転送速度を低くしても、表示装置１３の表示画面が違和感なく表示される。またこれにより、ＣＰＵ―表示コントローラ間のバスの転送時間を小さくして、表示処理の際の省電力化を実現できる。例えば図１３に示すように、表示の階調を２ｂｙｔｅから１ｂｙｔｅに変更すると、ＣＰＵ―表示コントローラ間のバスの転送時間が半分になり、表示処理の際の省電力化が実現できる。
【００５７】
なお、制御装置２０がソフトウェア側（アプリケーション側）で表示データの減色処理を行うとともに、表示装置１３のハードウェアで増色処理を行っている。このため、表示画面に違和感を感じさせずに表示処理の際の省電力化が図られる。なお、表示装置１３は、増色処理を行うための増色装置１３ａを表示コントローラに内蔵している。
【００５８】
第５実施形態の携帯電話機１が、この表示制御処理を行う手順について、図１４に示すフローチャート、図１５に示すアローチャートに基づいて説明する。ここでは、携帯電話機１が起動された際に、この起動が開始されてから完了するまでの間、表示装置１３の輝度を低下させる場合を一例として説明する。
【００５９】
制御装置２０は、携帯電話機１が起動されたか否かを判断する（Ｓ５０１）。携帯電話機１が起動されていない場合（Ｓ５０１のＮｏ）は、制御装置２０は携帯電話機１が起動されるまで待機する。携帯電話機１が起動された場合（Ｓ５０１のＹｅｓ）は、制御装置２０は、表示装置１３に対してハードウェアの増色処理を行う（Ｓ５０３）。この際、図１５のアローチャートに示すように、制御装置２０は、表示装置１３に対して、増色処理を行うように信号を送信する。表示装置１３は、この信号を受けて、ハードウェアの増色処理を行う。
【００６０】
制御装置２０は、表示装置１３の輝度を低下させる（Ｓ５０５）。この際、図１５のアローチャートに示すように、ｂｉｔ演算装置２２ｂが表示データ２２ａを取得して、このステップＳ４０３にて抽出した表示領域の表示データ２２ａに対して、例えば通常の状態の５０％の輝度になるように減色処理を施し、出力データ２２ｃとして出力する。表示装置１３は、表示演算装置２２により出力された出力データ２２ｃに基づいて画面を表示する。
【００６１】
制御装置２０は、ステップＳ５０１にて開始された携帯電話機１の起動が完了したか否かを判断する（Ｓ５０７）。携帯電話機１の起動が完了していない場合（Ｓ５０７のＮｏ）は、ステップＳ５０３に戻って、制御装置２０は携帯電話機１の起動が完了するまで、ステップＳ５０３乃至Ｓ５０７の処理を継続する。
【００６２】
携帯電話機１の起動が完了した場合（Ｓ５０７のＹｅｓ）は、主制御部２０は、表示装置１３に対してハードウェアの増色処理を終了する（Ｓ５０９）。この際、図１５のアローチャートに示すように、制御装置２０は、表示装置１３に対して、増色処理を終了するように信号を送信する。表示装置１３は、この信号を受けて、ハードウェアの増色処理を終了する。そして制御装置２０は、携帯電話機１の表示装置１３の輝度を元に戻す（Ｓ５１１）。
【００６３】
このようにして携帯電話機１は、表示装置１３に画面を表示していて、アプリケーション側で表示装置１３の輝度を低下させている間、表示装置１３に対して転送を行う表示データを少なくし、ＣＰＵ（制御装置２０）―表示コントローラ（表示装置１３）間のバス（バス２６）の転送速度を低くしているため、省電力化を実現している。
【００６４】
なお、上記の例としては、同じ内容で輝度を下げる制御の例を示したが、これに限定されず、例えば、同様の内容を示す（圧縮した、あるいは間引きした）小さい表示エリアのデータに差し替えて表示装置１３に対して転送を行ってもよい。これにより、小さい表示エリアの表示データが表示装置１３にバスを介して転送されるため、省電力化が実現できる。
【００６５】
本発明の説明として、携帯電話機１、１Ａについて説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、デジタルカメラ、ビデオカメラ、携帯オーディオ機器、携帯ビデオ機器等、ディスプレイを備えた情報端末であれば、任意の情報端末であって良い。
【図面の簡単な説明】
【００６６】
【図１】（Ａ）は、本発明に係る携帯電話機の開いた状態を示す正面図、（Ｂ）は、本発明に係る携帯電話機の開いた状態を示す側面図。
【図２】（Ａ）は、本発明に係る携帯電話機の閉じた状態を示す正面図、（Ｂ）は、本発明に係る携帯電話機の閉じた状態を示す側面図。
【図３】本発明に係る携帯電話機のブロック図。
【図４】第１実施形態の携帯電話機において表示制御処理を行う際の手順を示すフローチャート。
【図５】第１実施形態の携帯電話機において表示制御処理を行う際の手順を示すアローチャート。
【図６】第２実施形態の携帯電話機において表示制御処理を行う際の手順を示すフローチャート。
【図７】第２実施形態の携帯電話機において表示制御処理を行う際の手順を示すアローチャート。
【図８】第３実施形態の設定情報のデータ構成図。
【図９】第３実施形態の携帯電話機において表示制御処理を行う際の手順を示すフローチャート。
【図１０】第４実施形態の携帯電話機における表示画面を示す画面図。
【図１１】第４実施形態の携帯電話機において表示制御処理を行う際の手順を示すフローチャート。
【図１２】第４実施形態の携帯電話機において表示制御処理を行う際の手順を示すアローチャート。
【００６７】
図。
【図１３】第５実施形態の携帯電話機における表示制御処理を説明するための図。
【図１４】第５実施形態の携帯電話機において表示制御処理を行う際の手順を示すフローチャート。
【図１５】第５実施形態の携帯電話機において表示制御処理を行う際の手順を示すアローチャート。
【符号の説明】
【００６８】
１…携帯電話機，１０…上筐体，１１…下筐体，１２…ヒンジ部，１３…表示装置，１３ａ…増色装置，１４…スピーカ，１５…操作キー，１６…マイクロフォン，２０…制御装置，２１…記憶装置，２２…表示演算装置，２２ａ…表示データ，２２ｂ…ｂｉｔ演算装置，２２ｃ…出力データ，２３…無線装置，２４…信号処理装置，２５、２６…バス，３０…設定情報，４０…表示画面，４１乃至４６…表示領域，４７…カーソル。
【図１】
0005125697.tif 000002
【図２】
0005125697.tif 000003
【図３】
0005125697.tif 000004
【図４】
0005125697.tif 000005
【図５】
0005125697.tif 000006
【図６】
0005125697.tif 000007
【図７】
0005125697.tif 000008
【図８】
0005125697.tif 000009
【図９】
0005125697.tif 000010
【図１０】
0005125697.tif 000011
【図１１】
0005125697.tif 000012
【図１２】
0005125697.tif 000013
【図１３】
0005125697.tif 000014
【図１４】
0005125697.tif 000015
【図１５】
0005125697.tif 000016